(57)【要約】【課題】簡単な構造で適切に表示部材を傾けることが可能な表示装置を提供する。【解決手段】表示部材２０と、表示部材２０の後方に配置される表示部材ホルダー２１と、表示部材ホルダー２１に対する表示部材２０の左右方向の移動をガイドするガイド部と、表示部材２０の左右方向の移動を負荷によって制限する負荷部材とを備え、表示部材ホルダー２１は、左右の両端部に、上面視において左右方向の外側且つ前方に向かって傾斜する斜面部２６を備え、表示部材２０の後面２０ａの左右の両端部には、斜面部２６に当接して左右に摺動可能な当接部２５が設けられ、斜面部２６は曲面状である。【選択図】図２
2019212943.tif 000002
【特許請求の範囲】
【請求項１】
表示部材と、
前記表示部材の後方に配置される表示部材ホルダーと、
前記表示部材ホルダーに対する前記表示部材の左右方向の移動をガイドするガイド部と、
前記表示部材の左右方向の移動を負荷によって制限する負荷部材とを備え、
前記表示部材ホルダーは、左右の両端部に、上面視において左右方向の外側且つ前方に向かって傾斜する斜面部を備え、
前記表示部材の後面の左右の両端部には、前記斜面部に当接して左右に摺動可能な当接部が設けられ、
前記斜面部は曲面状であることを特徴とする表示装置。
【請求項２】
前記当接部は、前記斜面部に沿う曲面状であることを特徴とする請求項１記載の表示装置。
【請求項３】
前記表示部材ホルダーの前面において左右の前記斜面部の間には、前記斜面部に連続して左右に延びる平面部が設けられ、
前記表示部材が左右に所定量移動すると、前記表示部材の前記当接部が前記表示部材ホルダーの前記平面部に当接することを特徴とする請求項１または２記載の表示装置。
【請求項４】
前記当接部の左右の幅は、前記斜面部の左右の幅よりも小さく、
左右の前記当接部の間には、前記表示部材の前記後面と前記表示部材ホルダーの前面との間に空間が設けられることを特徴とする請求項１から３のいずれかに記載の表示装置。
【請求項５】
左右に移動可能なスライド部材が前記表示部材ホルダーの後面側に設けられ、
前記表示部材は、前記表示部材ホルダーを前後に貫通する連結部材によって前記スライド部材に連結され、
前記負荷部材は、前記表示部材ホルダーの後面側に配置されて前記スライド部材に接続されることを特徴とする請求項１から４のいずれかに記載の表示装置。
【請求項６】
前記スライド部材は、左右方向に配列されるラックギアを備え、
前記負荷部材は、前記ラックギアを介して前記スライド部材に負荷を作用させることを特徴とする請求項５記載の表示装置。
【請求項７】
前記スライド部材を左右方向に駆動するモーターと、前記モーターと前記スライド部材との間に介装されるトルクリミッターとを備え、
前記負荷部材は前記トルクリミッターであることを特徴とする請求項５または６記載の表示装置。
【請求項８】
前記負荷部材は、前記ラックギアに接続されるロータリーダンパーまたはトルクリミッターであることを特徴とする請求項６記載の表示装置。
【発明の詳細な説明】
【技術分野】
【０００１】
本発明は、表示装置に関する。
【背景技術】
【０００２】
背景技術として、特開２０１４−１７９７６８号公報（以下、特許文献１と呼ぶ。）がある。特許文献１では、「チルト機構１０は、モニタ１の後方に設けられ、回動支持点２１１Ｌ、２１１Ｒにてモニタ１に回動可能に取り付けられる固定長部分２１Ｌ、２１Ｒに対して伸縮する伸縮部分２２Ｌ、２２Ｒからなる左右一対の伸縮アーム２Ｌ、２Ｒと、伸縮アームを介してモニタ１を保持する保持部材３とを備える。保持部材３は、伸縮部分上の点である後側スライド点２２１Ｌ、２２１Ｒの移動を左右方向に案内するための後側レール３１Ｌ、３１Ｒと、後側レールよりも前方に形成され、固定長部分上の点であって回動支持点よりも後方の点である前側スライド点２１２Ｌ、２１２Ｒを左右方向に案内するための左右案内部３２１Ｌ、３２１Ｒを備えた前側レール３２Ｌ、３２Ｒと、伸縮アームのうちの少なくとも一方の回動支持点を前後方向に案内するための前後方向レール３３とを備える。」と記載されている。
【先行技術文献】
【特許文献】
【０００３】
【特許文献１】特開２０１４−１７９７６８号公報
【発明の概要】
【発明が解決しようとする課題】
【０００４】
しかしながら、特許文献１の表示装置では、カム溝を介して表示部材（モニタ１）を左右に傾けるため、表示部材を左右に傾け難いとともに構造が複雑になる。特に、手動によって表示部材に力を加えて表示部材を左右に傾ける場合には、傾け難くなる。
本発明は、上述した事情に鑑みてなされたものであり、簡単な構造で適切に表示部材を傾けることが可能な表示装置を提供することを目的とする。
【課題を解決するための手段】
【０００５】
本発明は、表示部材と、前記表示部材の後方に配置される表示部材ホルダーと、前記表示部材ホルダーに対する前記表示部材の左右方向の移動をガイドするガイド部と、前記表示部材の左右方向の移動を負荷によって制限する負荷部材とを備え、前記表示部材ホルダーは、左右の両端部に、上面視において左右方向の外側且つ前方に向かって傾斜する斜面部を備え、前記表示部材の後面の左右の両端部には、前記斜面部に当接して左右に摺動可能な当接部が設けられ、前記斜面部は曲面状であることを特徴とする表示装置を提供する。
【発明の効果】
【０００６】
本発明に係る表示装置では、表示部材ホルダーに対し表示部材を左右方向に移動させると、表示部材は、左右の当接部が表示部材ホルダーの左右の両端部の曲面状の斜面部に沿って移動することで、左右方向に傾く。また、表示部材の左右方向の移動は、負荷部材によって制限されるため、表示部材を傾斜した状態に保持しておくことができる。このため、簡単な構造で適切に表示部材を傾けることができる。
【図面の簡単な説明】
【０００７】
【図１】本発明を適用した第１の実施の形態に係る車載装置の外観構成を示す斜視図である。
【図２】モニターを上方側から見た平面図である。
【図３】モニターを後方側から見た図である。
【図４】表示部材ホルダーを前方側から見た斜視図である。
【図５】表示部材ホルダーを後方側から見た斜視図である。
【図６】表示部材を後方側から見た斜視図である。
【図７】モニターを上方から見た場合の断面図である。
【図８】表示部材を左右方向に傾斜させた状態においてモニターを後方側から見た図である。
【図９】表示部材を左右方向に傾斜させた状態においてモニターを前方側から見た斜視図である。
【図１０】モニターを上方から見た場合の断面図である。
【図１１】第２の実施の形態において、モニターを後方側から見た図である。
【図１２】第３の実施の形態において、モニターを後方側から見た図である。
【発明を実施するための形態】
【０００８】
以下、図面を参照して本発明の実施の形態について説明する。
［第１の実施の形態］
図１は、本発明を適用した第１の実施の形態に係る車載装置１０の外観構成を示す斜視図である。
車載装置１０は、画像を表示するモニター１１（表示装置）を備え、車両内に配置されるものであり、例えば、カーナビゲーション装置である。車載装置１０は、音声を再生する機能も有する。すなわち、車載装置１０はオーディオ装置でもある。
【０００９】
車載装置１０は、例えば、自動車の車室内のダッシュボードに設けられる。車載装置１０は、上記ダッシュボード内に埋め込むようにして配置される箱状の本体部１２と、上記モニター１１とを備える。
本体部１２内には、電子基板や、記録媒体としてのディスクの情報を読み取るディスク装置等が収納される。
モニター１１は、本体部１２の前面に取り付けられ、モニター１１を視認するユーザーの側を向いて配置される。
以下の説明では、モニター１１側から見てユーザー側の方向を前方向、モニター１１の後方を後方向、水平且つ前後方向に対し直交する方向を左右方向、前後方向及び左右方向に直交する方向を上下方向とする。図１には、方向を示す矢印が、前方Ｆｒ、後方Ｒｅ、左方Ｌ、右方Ｒ、上方Ｕ、及び下方Ｄで示される。
【００１０】
モニター１１は、各種の画像（静止画像、動画像、映像）を表示する表示部材２０と、表示部材２０の後方に配置され、表示部材２０を支持する表示部材ホルダー２１とを備える。モニター１１は、表示部材ホルダー２１が本体部１２の前面に固定されることで、本体部１２に取り付けられる。表示部材２０は、例えば液晶ディスプレイであるが、表示機能を有するものであれば液晶ディスプレイに限定されない。
【００１１】
図２は、モニター１１を上方側から見た平面図である。図３は、モニター１１を後方側から見た図である。
図１〜図３を参照し、モニター１１は、表示部材ホルダー２１に対し表示部材２０を左右に傾けることが可能なチルト機構２２を備える。
チルト機構２２は、表示部材２０の後面２０ａに設けられる当接部２５，２５と、表示部材ホルダー２１の前面２１ａに設けられる斜面部２６，２６と、表示部材ホルダー２１に対する表示部材２０の左右方向の移動をガイドするガイド部２７と、表示部材ホルダー２１の後面２１ｂ側で左右に移動可能なスライド部材２８と、表示部材２０の左右方向の移動を負荷によって制限する負荷部材２９と、負荷部材２９とスライド部材２８との間に介装される中間ギア３０とを備える。
【００１２】
図４は、表示部材ホルダー２１を前方側から見た斜視図である。図５は、表示部材ホルダー２１を後方側から見た斜視図である。
図１〜図５を参照し、表示部材ホルダー２１は、正面視で左右方向に長い長方形状であり、略全体が表示部材２０に後方から重なる。
表示部材ホルダー２１は、表示部材２０の後面２０ａに対向する長方形状のホルダー前壁部３１と、ホルダー前壁部３１の上縁から後方に延出するホルダー上面部３２と、ホルダー前壁部３１の下縁から後方に延出するホルダー下面部３３と、ホルダー前壁部３１の左右の側縁から後方に延出するホルダー側面部３４，３４とを備える。
ホルダー前壁部３１の前面は、表示部材ホルダー２１の前面２１ａであり、ホルダー前壁部３１の後面は、表示部材ホルダー２１の後面２１ｂである。
【００１３】
ホルダー前壁部３１は、左右方向に真っ直ぐに延びる平面部３１ａと、上記斜面部２６，２６とを備える。
詳細には、斜面部２６，２６は、ホルダー前壁部３１の左右の両端部に設けられ、上面視において、左右方向の外側且つ前方に向かって傾斜する斜面である。斜面部２６，２６は、平面部３１ａの左右の両端３１ａ１から、上面視において左右方向の外側且つ前方に斜めに延びる。
斜面部２６，２６は、上面視で後方側に凸形状となる曲面状であり、この曲面は、表示部材ホルダー２１の前方に中心を有する円弧である。
【００１４】
ホルダー前壁部３１の上下の中間部には、前方に膨出する膨出部３５が設けられる。膨出部３５は、平面部３１ａに設けられ、斜面部２６，２６の左右の内端部同士を左右方向に繋ぐ。
膨出部３５には、左右方向に延びて表示部材ホルダー２１を前後に貫通するスリット状の孔部３６が設けられる。
左右の斜面部２６，２６の上部及び下部には、左右方向に延びるスリット状のガイド孔３７がそれぞれ設けられる。
【００１５】
膨出部３５の後面は、表示部材ホルダー２１の後面２１ｂ側では、図５に示すように前方に凹む凹部となっている。
膨出部３５の後面には、後方に突出するガイド突起３８，３８が設けられる。ガイド突起３８，３８は、孔部３６の左右の両端部に隣接して孔部３６の左右に一対設けられる。
また、膨出部３５の後面における左右の一方の端部には、中間ギア３０を支持する軸部３９が設けられる。
さらに、表示部材ホルダー２１の後面２１ｂにおいて左右の一方の斜面部２６の部分には、負荷部材支持部４０が設けられる。
ホルダー上面部３２は、平面部３１ａの上縁から前方に延出するカバー部４１ａを備え、ホルダー下面部３３は、平面部３１ａの下縁から前方に延出するカバー部４１ｂを備える。カバー部４１ａ，４１ｂは、斜面部２６，２６の左右の内端部同士を左右方向に繋ぐ。
【００１６】
図６は、表示部材２０を後方側から見た斜視図である。
図１〜図６を参照し、表示部材２０は、正面視で左右方向に長い長方形状の板部材であり、画像を表示する表示面２０ｂを前面に備える。
表示部材２０の後面２０ａには、表示部材ホルダー２１の平面部３１ａに正対する後面平面部５０と、当接部２５，２５とが設けられる。
当接部２５，２５は、表示部材ホルダー２１の斜面部２６，２６に沿う斜面であり、斜面部２６，２６に沿う曲面状に形成される。当接部２５，２５は、上面視において、後面平面部５０の左右の両端から左右方向の外側且つ前方に斜めに延びる。当接部２５，２５は、斜面部２６，２６に当接した状態で、斜面部２６，２６に対し左右に摺動可能である。
【００１７】
表示部材２０の後面平面部５０には、後方に突出する連結部材５１が設けられる。連結部材５１は、後方に延出する円柱状の連結軸である。連結部材５１は、表示部材２０の上下及び左右の中間部に設けられる。
表示部材２０の後面２０ａの上部及び下部の左右の端部には、後方に突出するガイド軸５２がそれぞれ設けられる。ガイド軸５２は、表示部材ホルダー２１のガイド孔３７に前方から挿入される。ガイド部２７は、ガイド軸５２及びガイド孔３７によって構成される。表示部材２０は、ガイド軸５２がガイド孔３７に沿って動くことで、左右方向の移動をガイドされる。
【００１８】
また、表示部材２０の後面２０ａには、表示部材ホルダー２１の膨出部３５を避けるように前方に凹む凹部５３が設けられる。凹部５３は、連結部材５１の左右の側方にそれぞれ設けられる。
表示部材２０の上面及び下面の後部には、上下方向に窪む段部５４が設けられる。段部５４は、表示部材２０の左右の中央部から左右の外側に行くほど前後の幅が大きくなる。
【００１９】
図３に示すように、スライド部材２８は、表示部材ホルダー２１の後面２１ｂに沿って左右方向に延びる板部材である。スライド部材２８は、膨出部３５の凹部に配置される。
スライド部材２８は、左右の一端部の下縁に、左右方向に配列されるラックギア２８ａを備える。
また、スライド部材２８は、表示部材２０の連結部材５１が連結される連結孔２８ｂを左右の中央部に備え、左右方向に延びるスリット状の孔２８ｃ，２８ｃを、連結孔２８ｂの左右の側方に備える。孔２８ｃ，２８ｃには、表示部材ホルダー２１のガイド突起３８，３８が前方から差し込まれる。スライド部材２８は、孔２８ｃ，２８ｃがガイド突起３８，３８に沿って動くことで、左右方向への移動をガイドされる。
【００２０】
負荷部材２９は、表示部材ホルダー２１の負荷部材支持部４０に固定され、表示部材ホルダー２１の後面２１ｂ側に配置される。負荷部材２９は、回転を減衰するロータリーダンパーであり、ケース部２９ａに封入されたオイル等の抵抗部材の抵抗によって回転軸２９ｂの回転を減衰する。
負荷部材２９は、回転軸２９ｂが前後方向を指向する向きで配置される。回転軸２９ｂには、中間ギア３０に噛み合うギア２９ｃが設けられる。
【００２１】
中間ギア３０は、表示部材ホルダー２１の軸部３９に軸支される。中間ギア３０は、スライド部材２８のラックギア２８ａに噛み合う第１ギア部３０ａと、負荷部材２９のギア２９ｃに噛み合う第２ギア部３０ｂとを備える。
第２ギア部３０ｂの歯数は、第１ギア部３０ａの歯数よりも大きく、第１ギア部３０ａの回転は増速されて第２ギア部３０ｂからギア２９ｃに出力される。
スライド部材２８のラックギア２８ａは、中間ギア３０を介して負荷部材２９に接続される。すなわち、スライド部材２８の左右の移動は、負荷部材２９の負荷による抵抗によって制限される。
【００２２】
図７は、モニター１１を上方から見た場合の断面図である。図７では、負荷部材２９及び中間ギア３０は不図示である。
図１〜図７を参照し、表示部材２０は、当接部２５，２５が表示部材ホルダー２１の斜面部２６，２６に当接するように表示部材ホルダー２１に前方から組み付けられる。この状態では、ガイド軸５２がガイド孔３７に差し込まれるとともに、連結部材５１が表示部材ホルダー２１の孔部３６を貫通してスライド部材２８の連結孔２８ｂに連結される。
すなわち、表示部材２０は、連結部材５１を介してスライド部材２８に連結されており、連結部材５１を孔部３６内で左右に移動させることで、スライド部材２８と一体に左右に移動可能である。
なお、連結部材５１は、例えば連結部材５１の後端部に設けられるリング状の固定部材（不図示）によって、スライド部材２８に対し軸方向に抜け止めされる。
【００２３】
図１〜図３及び図７では、モニター１１は、表示部材２０が左右に傾かずに正面を向く「中立状態」が示されている。
図１、図２、図４、図６及び図７を参照し、「中立状態」では、表示部材２０の当接部２５，２５と表示部材ホルダー２１の斜面部２６，２６とは、左右で同様に当接している。また、「中立状態」では、表示部材２０の後面２０ａとホルダー前壁部３１の平面部３１ａとの間には、前後方向に空間Ｓ（図２、図７）が形成される。
当接部２５，２５の左右の幅Ｗ１は、斜面部２６，２６の左右の幅Ｗ２よりも小さい。
【００２４】
図８は、表示部材２０を左右方向に傾斜させた状態においてモニター１１を後方側から見た図である。図９は、表示部材２０を左右方向に傾斜させた状態においてモニター１１を前方側から見た斜視図である。図１０は、モニター１１を上方から見た場合の断面図である。
図８〜図１０では、表示部材２０を左右の一方側（左側）に傾斜させた「傾斜状態」が示されている。
【００２５】
図１、図２、及び図８〜図１０を参照し、表示部材２０を左に傾斜させる場合、ユーザー等の作業者は、表示部材２０を把持し、表示部材ホルダー２１に対し表示部材２０を手動で左側にスライドさせる。
これにより、表示部材２０及び連結部材５１は、一体に左に移動する。この際、表示部材２０及び連結部材５１は、ラックギア２８ａ及び中間ギア３０を介し、負荷部材２９の負荷に抗しながら左方向にスライド移動する。負荷部材２９による抵抗よりも大きな力が作用すると、表示部材２０は左右方向に移動する。
【００２６】
表示部材２０が左に移動すると、左側の当接部２５が左側の斜面部２６に沿って左右方向の外側且つ前方に移動し、右側（左右の他方側）の当接部２５が右側の斜面部２６に沿って左右方向の内側且つ後方に移動し、その結果、表示部材２０は、左側に傾斜する。
表示部材２０が左側に傾斜すると、空間Ｓ（図２、図７及び図１０参照）は、表示部材２０の左側で大きくなり、表示部材２０の右側では、表示部材２０の後面２０ａが後方側に入り込んでホルダー前壁部３１の平面部３１ａに近づくことで小さくなる。
また、表示部材２０が左側に傾斜すると、表示部材２０の右側では、表示部材ホルダー２１のカバー部４１ａ，４１ｂが表示部材２０の上下の段部５４に入る。これにより、表示部材２０の上面及び下面の段差を小さくできる。
【００２７】
表示部材２０を左右方向の限界まで傾斜させた状態では、図２、図９及び図１０を参照し、左右の一方の当接部２５が、表示部材ホルダー２１の平面部３１ａの左右の端３１ａ１（図２）に当接する。このため、表示部材２０の傾斜を規制するストッパー部として平面部３１ａを使用でき、簡単な構造で表示部材２０の傾斜を規制できる。
なお、表示部材ホルダー２１のガイド孔３７をストッパー部とし、表示部材２０のガイド軸５２をガイド孔３７の左右の端部に当接させることで表示部材２０の傾斜を規制しても良い。また、表示部材ホルダー２１のガイド突起３８，３８をストッパー部とし、スライド部材２８の孔２８ｃ，２８ｃの左右の端部をガイド突起３８，３８に当接させることで表示部材２０の傾斜を規制しても良い。
【００２８】
表示部材２０は、負荷部材２９の負荷による抵抗によって、左右に傾斜した状態及び「中立状態」を維持される。このため、簡単な構造で表示部材２０の傾斜を保持できる。
また、表示部材２０は、「中立状態」から左右方向に任意の距離だけ移動されることで、「中立状態」と左右の傾斜の限界位置との間の任意の傾斜状態にセットされることができる。この場合においても、表示部材２０は、負荷部材２９の負荷によって任意の傾斜状態に維持される。
また、表示部材ホルダー２１に対し表示部材２０を手動で右側にスライドさせることで、上記と左右対称の動作によって表示部材２０を右側に傾斜させることができる。
【００２９】
以上説明したように、本発明を適用した第１の実施の形態によれば、表示装置としてのモニター１１は、表示部材２０と、表示部材２０の後方に配置される表示部材ホルダー２１と、表示部材ホルダー２１に対する表示部材２０の左右方向の移動をガイドするガイド部２７と、表示部材２０の左右方向の移動を負荷によって制限する負荷部材２９とを備え、表示部材ホルダー２１は、左右の両端部に、上面視において左右方向の外側且つ前方に向かって傾斜する斜面部２６を備え、表示部材２０の後面２０ａの左右の両端部には、斜面部２６に当接して左右に摺動可能な当接部２５が設けられ、斜面部２６は曲面状である。
この構成によれば、表示部材ホルダー２１に対し表示部材２０を左右方向に移動させると、表示部材２０は、左右の当接部２５が表示部材ホルダーの左右の両端部の曲面状の斜面部２６に沿って移動することで、左右方向に傾く。また、表示部材２０の左右方向の移動は、負荷部材２９による抵抗によって制限されるため、表示部材２０を傾斜した状態に保持しておくことができる。このため、簡単な構造で適切に表示部材２０を傾けることができる。ユーザーは、表示部材２０を傾斜させて表示部材２０を見易い姿勢に調整できる。
なお、第１の実施の形態では、当接部２５は、斜面部２６に沿う曲面状であるものとして説明したが、当接部２５は、斜面部２６に対して左右に摺動可能であれば良く、例えば、斜面部２６に前方から当接する突起部であっても良い。
【００３０】
また、表示部材２０の当接部２５は、表示部材ホルダー２１の曲面状の斜面部２６に沿う曲面状であるため、表示部材ホルダー２１に対し表示部材２０をスムーズに左右に移動させることができ、適切に表示部材２０を傾けることができる。
また、表示部材ホルダー２１の前面２１ａにおいて左右の斜面部２６の間には、斜面部２６に連続して左右に延びる平面部３１ａが設けられ、表示部材２０が左右に所定量移動すると、表示部材２０の当接部２５が表示部材ホルダー２１の平面部３１ａに当接する。この構成によれば、表示部材２０の当接部２５を表示部材ホルダー２１の平面部３１ａに当接させることで、表示部材２０を傾斜した状態に安定させることができる。
【００３１】
さらに、当接部２５の左右の幅Ｗ１は、斜面部２６の左右の幅Ｗ２よりも小さく、左右の当接部２５の間には、表示部材２０の後面２０ａと表示部材ホルダー２１の前面２１ａとの間に空間Ｓが設けられる。この構成によれば、表示部材ホルダー２１に対し表示部材２０を左右に大きく移動させることができ、表示部材２０の傾斜の範囲を大きく確保できる。
また、左右に移動可能なスライド部材２８が表示部材ホルダー２１の後面２１ｂ側に設けられ、表示部材２０は、表示部材ホルダー２１を前後に貫通する連結部材５１によってスライド部材２８に連結され、負荷部材２９は、表示部材ホルダー２１の後面２１ｂ側に配置されてスライド部材２８に接続される。この構成によれば、表示部材ホルダー２１の後面２１ｂ側に設けられるスライド部材２８及び負荷部材２９によって表示部材２０の左右方向の移動を制限できるため、モニター１１をコンパクト化できる。
【００３２】
また、スライド部材２８は、左右方向に配列されるラックギア２８ａを備え、負荷部材２９は、ラックギア２８ａを介してスライド部材２８に負荷を作用させる。この構成によれば、簡単且つ前後方向にコンパクトな構造で表示部材２０を左右に傾斜させることができる。
また、負荷部材２９は、ラックギア２８ａに接続されるロータリーダンパーである。この構成によれば、スライド部材２８のラックギア２８ａに接続されるロータリーダンパーによって、簡単な構造で表示部材２０を傾斜した状態に保持しておくことができる。
【００３３】
［第２の実施の形態］
以下、図１１を参照して、本発明を適用した第２の実施の形態について説明する。この第２の実施の形態において、上記第１の実施の形態と同様に構成される部分については、同符号を付して説明を省略する。
本第２の実施の形態は、負荷部材２２９がトルクリミッターである点が、上記第１の実施の形態と異なる。
【００３４】
図１１は、第２の実施の形態において、モニター１１を後方側から見た図である。
本第２の実施の形態では、上記第１の実施の形態の負荷部材２９に替えて、負荷部材２２９が設けられる。
負荷部材２２９は、第１ギア２２９ａと、第１ギア２２９ａに対し相対回転可能な第２ギア２２９ｂとを備えるトルクリミッターである。
負荷部材２２９は、第１ギア２２９ａと第２ギア２２９ｂとの間のトルク（負荷）が所定値までは、摩擦力によって第１ギア２２９ａと第２ギア２２９ｂとの間でトルクを伝達し、第１ギア２２９ａと第２ギア２２９ｂとの間のトルクが所定値を超えると、第１ギア２２９ａと第２ギア２２９ｂとが相対回転して負荷を逃がすトルクリミッターである。
【００３５】
表示部材ホルダー２１の後面２１ｂにおいて左右の一方の斜面部２６の部分には、ギア固定部２４０が設けられる。
第１ギア２２９ａは、ギア固定部２４０に、回転不能に固定される。
第２ギア２２９ｂは、中間ギア３０の第２ギア部３０ｂに噛み合う。
負荷部材２２９は、スライド部材２８及び中間ギア３０を介して表示部材２０から負荷部材２２９に伝達される負荷が所定値までは、第２ギア２２９ｂが回転せず、負荷によって表示部材２０の傾斜の姿勢を保持する。
負荷部材２２９は、スライド部材２８及び中間ギア３０を介して表示部材２０から負荷部材２２９に伝達される負荷が所定値を超えると、第２ギア２２９ｂが回転する。これにより、表示部材２０が左右に移動し、表示部材２０の傾斜が変更される。
【００３６】
本発明を適用した第２の実施の形態によれば、負荷部材２２９は、スライド部材２８のラックギア２８ａに接続されるトルクリミッターである。この構成によれば、トルクリミッターによって、簡単な構造で表示部材２０を傾斜した状態に保持しておくことができる。
【００３７】
［第３の実施の形態］
以下、図１２を参照して、本発明を適用した第３の実施の形態について説明する。この第３の実施の形態において、上記第１の実施の形態と同様に構成される部分については、同符号を付して説明を省略する。
本第３の実施の形態は、負荷部材３２９がトルクリミッターであるとともに、スライド部材２８を左右方向に駆動するモーター３６０が設けられる点が、上記第１の実施の形態と異なる。
【００３８】
図１２は、第３の実施の形態において、モニター１１を後方側から見た図である。
チルト機構３２２は、上記第１の実施の形態の構成に加え、モーター３６０を備えるとともに、負荷部材２９に替えて負荷部材３２９を備える。
モーター３６０は、表示部材ホルダー２１の後面２１ｂにおいて左右の一方の斜面部２６の部分に固定される。
モーター３６０は、モーター３６０の回転軸３６０ａがモーターの本体部３６０ｂから上方に延びる向きで配置される。回転軸３６０ａには、ウォームギア３６０ｃが設けられる。
【００３９】
負荷部材３２９は、第１ギア３２９ａと、第１ギア３２９ａに対し相対回転可能な第２ギア３２９ｂとを備えるトルクリミッターである。負荷部材３２９は、表示部材ホルダー２１の後面２１ｂ側に配置され、表示部材ホルダー２１によって回転可能に軸支される。
負荷部材３２９は、第１ギア３２９ａと第２ギア３２９ｂとの間のトルク（負荷）が所定値までは、摩擦力によって第１ギア３２９ａと第２ギア３２９ｂとの間でトルクを伝達し、第１ギア３２９ａと第２ギア３２９ｂとの間のトルクが所定値を超えると、第１ギア３２９ａと第２ギア３２９ｂとが相対回転して負荷を逃がすトルクリミッターである。
【００４０】
第１ギア３２９ａは、モーター３６０のウォームギア３６０ｃに噛み合う。第２ギア３２９ｂは、中間ギア３０の第２ギア部３０ｂに噛み合う。
モーター３６０が駆動されると、負荷部材３２９及び中間ギア３０を介してスライド部材２８が左右方向に移動し、表示部材２０の左右の傾斜が変更される。モーター３６０の回転量の調整により、表示部材２０を任意の傾斜状態にセットできる。
【００４１】
また、モーター３６０が駆動されていない状態では、ウォームギア３６０ｃの進み角が小さいことによるセルフロック作用によって、負荷部材３２９の第１ギア３２９ａは回転を規制される。
モーター３６０が駆動されていない状態において、負荷部材３２９は、スライド部材２８及び中間ギア３０を介して表示部材２０から負荷部材３２９に伝達される負荷が所定値までは、第１ギア３２９ａと第２ギア３２９ｂとが相対回転しない。これにより、負荷部材３２９の負荷によって表示部材２０の左右の移動を規制でき、表示部材２０の傾斜の姿勢が保持される。
また、モーター３６０が駆動されていない状態において、スライド部材２８及び中間ギア３０を介して表示部材２０から負荷部材３２９に伝達される負荷が所定値を超えると、第１ギア３２９ａに対し第２ギア３２９ｂが相対回転する。これにより、表示部材２０が左右に移動し、表示部材２０の傾斜が変更される。
【００４２】
本発明を適用した第３の実施の形態によれば、スライド部材２８を左右方向に駆動するモーター３６０と、モーター３６０とスライド部材２８との間に介装されるトルクリミッターとを備え、負荷部材３２９はトルクリミッターである。この構成によれば、スライド部材２８を介し、モーター３６０によって表示部材２０を左右に移動させて表示部材２０を傾斜させることができる。また、モーター３６０とスライド部材２８との間に介装されるトルクリミッターの負荷を利用して、簡単な構造で表示部材２０を傾斜した状態に保持しておくことができる。
【符号の説明】
【００４３】
１１  モニター（表示装置）
２０  表示部材
２０ａ  後面（表示部材の後面）
２１  表示部材ホルダー
２１ａ  前面（表示部材ホルダーの前面）
２１ｂ  後面（表示部材ホルダーの後面）
２５  当接部
２６  斜面部
２７  ガイド部
２８  スライド部材
２８ａ  ラックギア
２９，２２９，３２９  負荷部材
３１ａ  平面部
５１  連結部材
Ｓ  空間
Ｗ１  幅（当接部の左右の幅）
Ｗ２  幅（斜面部の左右の幅）
【図１】
2019212943.tif 000003
【図２】
2019212943.tif 000004
【図３】
2019212943.tif 000005
【図４】
2019212943.tif 000006
【図５】
2019212943.tif 000007
【図６】
2019212943.tif 000008
【図７】
2019212943.tif 000009
【図８】
2019212943.tif 000010
【図９】
2019212943.tif 000011
【図１０】
2019212943.tif 000012
【図１１】
2019212943.tif 000013
【図１２】
2019212943.tif 000014